(57)【要約】【課題】この発明は、送出具付きの容器の液剤の詰替時に、パイプの係止部がしっかり容器の開口部に係止し、かつ抽出具が邪魔にならないようにする。【解決手段】液剤を詰め替えて使用する送出具付き容器であって、この送出具付き容器は、容器と、この容器に取り付けられた送出具とから構成され、この送出具は、ノズルと、このノズルに連結するポンプと、このポンプに連結するパイプと、この送出具を容器の開口部に嵌合させて密閉させる蓋とから構成され、この送出具のパイプの上端近傍にはパイプを屈曲させて係止部を設けて、液剤詰替時にこの係止部を容器の開口部に係止するようにする。【選択図】図２
2016060541.tif 000002
【特許請求の範囲】
【請求項１】
液剤を詰め替えて使用する送出具付き容器であって、この送出具付き容器は、容器と、この容器に取り付けられた送出具とから構成され、この送出具は、ノズルと、このノズルに連結するポンプと、このポンプに連結するパイプと、この送出具を容器の開口部に嵌合させて密閉させる蓋とから構成され、この送出具のパイプの上端近傍にはパイプを屈曲させて係止部を設けて、液剤詰替時にこの係止部を容器の開口部に係止するようにしたことを特徴とする送出具付き容器。
【請求項２】
請求項１の送出具付き容器のパイプの係止部を、ポンプ近傍において送出具の軸から略直角に膨出する肩部を設け、この肩部先端から軸に対して傾斜をして軸まで下方に延在する傾斜部を設けて形成したことを特徴とする送出具付き容器。
【請求項３】
請求項２の送出具付き容器のパイプの係止部の傾斜部を送出具の軸に対して略３０度傾斜したことを特徴とする送出具付き容器。
【請求項４】
請求項２または請求項３の送出具付き容器のパイプの係止部の肩部から傾斜部にかけて送出具の軸に平行な平行部を設けたことを特徴とする送出具付き容器。
【請求項５】
請求項２から請求項４までの何れかにおいて、送出具付き容器のパイプの係止部の肩部の長さをパイプの直径の略２倍にしたことを特徴とする送出具付き容器。
【発明の詳細な説明】
【技術分野】
【０００１】  洗剤などの液剤をポンプを用いて送出する容器であって、詰替の可能な送出具付き容器に関する。
【背景技術】
【０００２】家庭用洗剤を送出具付き容器に入れ、送出具のポンプを手指で作動させて液剤を適量送出する技術が公開されている。また、容器を使い捨てにしないで、詰替用の液剤を別途販売している例が多く見られる。しかしながら、液剤を詰め替えるため送出具を抜き出すと、送出具のパイプやポンプ内に溜まった液剤がこぼれて、周りを汚してしまう問題があった。洗剤などは粘性が高く、液剤が送出具内に溜まりやすく、多くの液剤がこぼれやすい問題があった。
【先行技術文献】
【特許文献】
【０００３】
【特許文献１】特開２０１２−８２００８
【特許文献２】特開Ｈ１１−７９２２３
【特許文献３】特開２０００−２８９７６６
【特許文献４】特開２００４−７５１２８
【発明の概要】
【発明が解決しようとする課題】
【０００４】  特許文献１の技術は、送出具を容器から抜き出さないで、容器の開口部に送出具のパイプをよけて漏斗を差し込むものである。しかしながら、容器の開口部やパイプには大小多くのサイズがあり、漏斗をその何れにも合うようにするには、一番小さい容器の開口部でも、一番大きいパイプでも合う漏斗にしなければならなかった。このため、漏斗の液剤通過路を最小サイズにしなければならず、粘性の高い液剤の通過には長時間を要していた。さらに、この技術では詰替後に漏斗に付着した液剤が滴下して周りを汚してしまう問題があり、漏斗を洗浄する余分な手間も必要であった。【０００５】  特許文献２の技術と特許文献３の技術は、パイプの上端部に係止部を設けて、この係止部を容器の開口部に係止させて、液剤を注入するものである。しかしながら、この技術では送出具のポンプやノズルが開口部の上方に位置して、液剤の注入に邪魔になっていた。また、この技術では、付加的な部品が必要であり、これを組み付ける余分な工程も必要であった。【０００６】  特許文献４の技術は、パイプの上端近傍をジャバラ状にしたものである。液剤の注入時には、送出具を途中まで抜き出してジャバラの位置でパイプを屈曲させて、この屈曲部を開口部に係止させる方法である。しかしながら、この方法では、屈曲部の曲がりが不安定で、係り部も小さく送出具の重みでずり落ちてしまうという問題があった。
【課題を解決するための手段】
【０００７】  液剤を詰め替えて使用する送出具付き容器であって、この送出具付き容器は、容器と、この容器に取り付けられた送出具とから構成され、この送出具は、ノズルと、このノズルに連結するポンプと、このポンプに連結するパイプと、この送出具を容器の開口部に嵌合させて密閉させる蓋とから構成され、この送出具のパイプの上端近傍にはパイプを屈曲させて係止部を設けて、液剤詰替時にこの係止部を容器の開口部に係止するようにしたことを特徴とする送出具付き容器である。
【発明の効果】
【０００８】  この発明では、上記の問題点を解決し、パイプの係止部がしっかり容器の開口部に係止し、かつ抽出具が邪魔にならないという効果を得ることができる。
【図面の簡単な説明】
【０００９】
【図１】第一の実施例の送出具付き容器を示す正面図である。
【図２】第一の実施例の送出具を途中まで抜き出して、液剤を注入しようとする正面図である。
【図３】第一の実施例の送出具の詳細図である。
【発明を実施するための形態】
【００１０】  液剤を詰め替えて使用する送出具付き容器であって、この送出具付き容器は、容器と、この容器に取り付けられた送出具とから構成され、この送出具は、ノズルと、このノズルに連結するポンプと、このポンプに連結するパイプと、この送出具を容器の開口部に嵌合させて密閉させる蓋とから構成され、この送出具のパイプの上端近傍にはパイプを屈曲させて係止部を設けて、液剤詰替時にこの係止部を容器の開口部に係止するようにしたことを特徴とする送出具付き容器である。
上記の送出具付き容器のパイプの係止部を、ポンプ近傍において送出具の軸から略直角に膨出する肩部を設け、この肩部先端から軸に対して傾斜をして軸まで下方に延在する傾斜部を設けて形成したことを特徴とする送出具付き容器である。
【００１１】  上記の送出具付き容器のパイプの係止部の傾斜部を送出具の軸に対して略３０度傾斜したことを特徴とする送出具付き容器である。
上記の送出具付き容器のパイプの係止部の肩部から傾斜部にかけて送出具の軸に平行な平行部を設けたことを特徴とする送出具付き容器である。
上記の何れかにおいて、送出具付き容器のパイプの係止部の肩部の長さをパイプの直径の略２倍にしたことを特徴とする送出具付き容器である。
【実施例】
【００１２】  図１により第一の実施例を説明すると、送出具付き容器１０は、容器２０と、送出具３０とから構成されている。容器２０は容器本体２１と、開口部２２とから構成されている。送出具３０は、ノズル４０と、蓋５０と、ポンプ６０と、パイプ７０とから構成されている。【００１３】  図３によりパイプ７０を詳述する。パイプ７０は、硬質プラスチックまたはやや軟質プラスチックで中空のパイプ状に形成されている。パイプ７０の上端近傍には、係止部７１が設けられている。係止部７１は、ポンプ６０近傍から送出具３０の軸Ｘから略直角に膨出する肩部７１Ａを設け、パイプ径ｄの略２倍の位置で軸Ｘと平行な平行部７２Ｂを設け、さらに軸Ｘと略３０度の傾斜を持って軸Ｘまで下方に延在する傾斜部７１Ｃを設けて形成される。傾斜部７１Ｃからは、軸Ｘ近傍で略軸Ｘに沿って容器２０の下端まで下行部７２を延在させている。【００１４】  肩部７１Ａの長さＤを大きくし過ぎると容器の開口部２１に干渉し、小さすぎると係りが悪くなる。肩部７１Ａの長さはパイプ直径の略２倍が適切である。
図２に示すように、この実施例によると、液剤Ｓを注入する際送出具３０が邪魔にならない効果が得られることが分かる。
【産業上の利用可能性】
【００１５】  この発明の送出具付き容器は、シャンプーや食器用洗剤などの液剤を詰め替えて使用する送出具付き容器に利用可能である。
【符号の説明】
【００１６】１０は送出具付き容器
２０は容器
２１は容器本体
２２は開口部
３０は送出具
４０はノズル
５０は蓋
６０はポンプ
７０はパイプ
７１は係止部
７１Ａは肩部
７１Ｂは平行部
７１Ｃは斜行部
７２は下行部
Ｓは詰替洗剤
【図１】
2016060541.tif 000003
【図２】
2016060541.tif 000004
【図３】
2016060541.tif 000005